(57)【要約】      （修正有）【課題】台風等の強風に曝された場合にも飛散、落下せず人的被害を発生しない太陽電池モジュールを提供する。【解決手段】複数の太陽電池セルから構成された太陽電池アッシ５と、太陽電池アッシ５の側辺を固定する側枠６と、を有する太陽電池モジュールＭであって、側枠６に一端が固定され、他端が太陽電池モジュールＭを固定するための角パイプ１８に固定される係留綱３０を有することを特徴とする太陽電池モジュール。【選択図】図６
0003184001.tif 000002
【実用新案登録請求の範囲】
【請求項１】
複数の太陽電池セルから構成された太陽電池アッシと、
前記太陽電池アッシの側辺を固定する側枠と、を有する太陽電池モジュールであって、
前記側枠に一端が固定され、他端が前記太陽電池モジュールを固定するための架台に固定される係留綱を有することを特徴とする太陽電池モジュール。
【請求項２】
前記係留綱を複数有し、該複数の係留綱によって前記架台に複数箇所で係留されることを特徴とする請求項１記載の太陽電池モジュール。
【請求項３】
前記係留綱が、ロープ、鎖、または金属製のワイヤーで構成されることを特徴とする請求項１または２に記載の太陽電池モジュール。
【考案の詳細な説明】
【技術分野】
【０００１】
本考案は、家屋の屋上に設置される太陽電池モジュールに関する。
【背景技術】
【０００２】
最近、太陽電池発電や風力発電等による再生エネルギーの利用が活発化しつつある。このうち太陽電池発電では、複数の太陽電池モジュールが一般家庭の家屋の屋上に、架台，取り付け金具等を用いて設置される。
【０００３】
例えば、特許文献１には太陽電池モジュールを隙間なく、かつ平行に並べて設置することができるようにし、かつ、雪の溜りによる弊害なく積雪地域で好適に使用できる太陽電池モジュールが開示されている。また、特許文献２には取り付け、取り外しが簡単で、再生可能なクリップを用いた太陽電池モジュールが開示されている。
【先行技術文献】
【特許文献】
【０００４】
【特許文献１】特開平０９−０９６０７１号公報
【特許文献２】特開平１０−３３９００８号公報
【考案の概要】
【考案が解決しようとする課題】
【０００５】
しかし、上記特許文献１、特許文献２に開示されている太陽電池モジュールでは、通常の気候条件では問題なく動作するものの、台風等に太陽電池モジュールが曝された場合には、太陽電池モジュールが架台等から外れてしまい、地上に落下することも考えられる。この落下した太陽電池モジュールが人的被害を引き起こすことも可能性としては存在する。
【０００６】
本考案は、上記課題に鑑みてなされたものであり、台風等の強風に曝された場合にも飛散、落下しない太陽電池モジュールを提供することを目的とする。
【課題を解決するための手段】
【０００７】
本考案は上記の目的を達成するため、以下の構成を備えるものである。
【０００８】
（１）複数の太陽電池セルから構成された太陽電池アッシと、
前記太陽電池アッシの側辺を固定する側枠と、を有する太陽電池モジュールであって、
前記側枠に一端が固定され、他端が前記太陽電池モジュールを固定するための架台に固定される係留綱を有することを特徴とする太陽電池モジュール。
【０００９】
（２）前記係留綱を複数有し、該複数の係留綱によって前記架台に複数箇所で係留されることを特徴とする前記（１）記載の太陽電池モジュール。
【００１０】
（３）前記係留綱が、ロープ、鎖、または金属製のワイヤーで構成されることを特徴とする前記（１）または（２）に記載の太陽電池モジュール。
【考案の効果】
【００１１】
本考案によれば、台風等の強風に曝された場合にも飛散、落下しない太陽電池モジュールを提供することができる。
【図面の簡単な説明】
【００１２】
【図１】実施例の太陽電池モジュールを示す分解図
【図２】実施例の太陽電池モジュールを示す平面図
【図３】実施例の長辺用側枠と短辺用側枠の組み立て状態を示す図
【図４】実施例の太陽電池モジュールの傾斜屋根への取り付けを示す図
【図５】実施例の角パイプの取り付け状態を示す図
【図６】実施例の太陽電池モジュールの固定状態を示す断面図
【考案を実施するための形態】
【００１３】
以下、本考案を実施するための形態を、実施例により詳しく説明する。
【実施例】
【００１４】
図１は、本考案に係る太陽電池モジュールの分解状態を示す。また、図２は組上げられた太陽電池モジュールの平面図である。この太陽電池モジュールＭは、多数個の太陽電池セル１ａを直列または並列に配線接続してなる太陽電池セル列１を、表裏の透明樹脂からなる充填材２を介して表面側の白板強化ガラス板３と裏面側の耐候性フィルム４で挟み込んで矩形板状の太陽電池アッシ５を形成する。そして、太陽電池モジュールＭは、この太陽電池アッシ５の四周辺をアルミニウムを押し出し成型してなる長辺用側枠６と短辺用側枠７で保持して、各長辺用側枠６と短辺用側枠７とをネジ連結した構造を有している。
【００１５】
そして、図３に示すように、長辺用側枠６および短辺用側枠７は偏平な中空パイプ状に形成されるとともに、その内向き面の上部には凹溝８，９が形成されており、この凹溝８，９に太陽電池アッシ５が緩衝用と防水用の弾性パッキン材１０（図６に図示）を介して嵌め込み支持されている。また、長辺用側枠６および短辺用側枠７の下部からは外方に向けて突出する固定用リブ６ａ，７ａが形成されるとともに、各リブ６ａ，７ａの両端に４５°の角度で切り取った面取り部６ｂ，７ｂが形成され、かつ、各リブ６ａ，７ａには架台への固定用にネジ挿通孔１１，１２がそれぞれ設けられている。
【００１６】
以下、上記構成の太陽電池モジュールＭを傾斜屋根に取り付ける構造例を示す。
【００１７】
図４に、太陽電池モジュールＭを傾斜屋根Ｒに横向きに取り付ける構造が、また、図５にその要部が示されており、図６に取り付け断面図が示されている。なお、図４に示された係留綱３０については後述する。
【００１８】
図５に示すように、この傾斜屋根Ｒは、垂木１３の上に野地板１４が張られ、更にその上に防水紙等の下地材１５が張られ、下地材１５の上に軒先部から棟部に亘って瓦棒１６が配設されている。そして、これらの上に屋根材１７が被覆されて構成されており、以下、この傾斜屋根Ｒに架台を介して太陽電池モジュールを取り付ける手順を各図を参照して説明する。
【００１９】
［太陽電池モジュールの傾斜屋根への取り付け手順］
（１）モジュール取付け用の架台はアルミ押し出し成型材からなる角パイプ１８が用いられる。この角パイプ１８の上面には中心線Ｃが細い溝状に予め刻設されており、先ず、この中心線Ｃと瓦棒１６との交点にドリルで下孔１９を穿け、木ネジ２０を垂木１３まで締め込んで角パイプ１８を固定する（図６参照）。以下、同様にして設置する太陽電池モジュールＭを固定するのに必要な数だけ角パイプ１８の取り付けを行う。なお、角パイプ１８の下にはゴムシート２１を介在して架台である角パイプ１８の防振とネジ止め部の防水を図る。
【００２０】
（２）次に、図４に示すように、軒先側に固定した第１列目の角パイプ１８群の上面に屋根と平行となる基準線Ｌを引き、この基準線Ｌ上に一対の位置決め用ネジ２２を取り付ける。
【００２１】
（３）そして、横向き姿勢にした太陽電池モジュールＭを角パイプ１８上に置き、軒先側（傾斜下側）の長辺用側枠６における固定用リブ６ａの端縁を左右一対の位置決め用ネジ２２に当接させるとともに、固定用リブ６ａにおける左右の面取り部６ｂの角を角パイプ１８の端面に合わせることで太陽電池モジュールＭの横方向の位置決めを行う。そして、この位置決め状態でドリリングネジ２３（図６に図示）で固定用リブ６ａを角パイプ１８上に固定する。この際、予め図６に示したように係留綱３０を長辺用側枠６と角パイプ１８の間に綱固定ネジ３１を使って固定する。この係留綱３０は、図６（ｂ）に示したように２つの綱端部３０ａと綱３０ｂで構成されている。綱３０ｂの長さは、太陽電池モジュールの大きさ等を考慮して決定されるものとする。また、１つの太陽電池モジュールを２個以上の係留綱３０で係留してもよい。綱３０ｂはロープ、鎖、金属製のワイヤー等の種々の綱が考えられる。太陽電池モジュールＭは、この係留綱３０によって角パイプ１８に係留されることによって、例え強風によって煽られてドリリングネジ２３等が外れてしまった場合でも家屋の下に落下することなく屋根上にとどまることができる。
【００２２】
（５）以後、同様な手順で第２列以降の太陽電池モジュールＭを互いに平行に配置固定する。
【００２３】
（６）その後、図４に示すように、アルミの押し出し成型によって製作された逆Ｌ字形断面形状のモジュール間カバー２５を、軒先側の太陽電池モジュールＭにおける長辺用側枠６の上端角部にガイド部２５ａ（図６に図示）が重合される状態で隣接するモジュール列間に挿入し、ドリリングネジ２６で角パイプ１８上に固定する。なお、各太陽電池モジュールＭの配線は前記モジュール間カバーの中に収納保護される。
【００２４】
（７）また、同じく図４に示すように、アルミの押し出し成型によって製作された逆Ｌ字形断面形状の棟側カバー２７を、最終列の太陽電池モジュールＭの棟側の長辺用側枠６の上端角部にガイド部２７ａが重合される状態に配置してドリリングネジ２８で角パイプ１８上に固定する。
【００２５】
本実施例によれば、台風等の強風に曝された場合にも飛散、落下しない太陽電池モジュールを提供することができる。
【符号の説明】
【００２６】
１          太陽電池セル列
２          充填材
３          白板強化ガラス
４          耐候性フィルム
５          太陽電池アッシ
６          長辺用側枠
７          短辺用側枠
８，９      凹溝
１１，１２  ネジ挿通孔
１３        垂木
１４        野地板
１５        下地材
１６        瓦棒
１７        屋根材
１８        角パイプ
１９        下孔
２０        木ネジ
２１        ゴムシート
２２        位置決め用ネジ
２３，２６，２８    ドリリングネジ
２５        モジュール間カバー
２７        棟側カバー
３０        係留綱
３０ａ      綱端部
３０ｂ      綱
３１        綱固定ネジ
Ｍ          太陽電池モジュール
Ｒ          傾斜屋根
【図１】
0003184001.tif 000003
【図２】
0003184001.tif 000004
【図３】
0003184001.tif 000005
【図４】
0003184001.tif 000006
【図５】
0003184001.tif 000007
【図６】
0003184001.tif 000008